(57)【要約】【課題】  マルチメディア・メッセージ通信において、自動的にメッセージをボイスメールボックスから移動局のユーザーに提供する装置を構成する。【解決手段】  一実施例において、装置の移動体及びデータアプリケーション用サーバー部が、ボイスメッセージのコンテンツをボイスメールボックスからマルチメディア対応装置に配信する。【選択図】  図１
2006020326.tif 000002
【特許請求の範囲】
【請求項１】
装置であって、
ボイスメッセージのコンテンツをマルチメディア・メッセージ通信サービス用メッセージにフォーマットする、移動体及びデータアプリケーション用サーバー部からなり、
該移動体及びデータアプリケーション用サーバー部が該マルチメディア・メッセージ通信サービス用メッセージをマルチメディア対応装置に配信する装置。
【請求項２】
請求項１記載の装置において、該移動体及びデータアプリケーション用サーバー部が、該ボイスメッセージのコンテンツの１以上の音声部分を、マルチメディア対応機種によって聴くことができるフォーマットに符号変換し、
該移動体及びデータアプリケーション用サーバー部は該１以上の音声部分を該マルチメディア・メッセージ通信サービス用メッセージに挿入することを特徴とする装置。
【請求項３】
請求項１記載の装置において、該移動体及びデータアプリケーション用サーバー部が、該マルチメディア対応装置への該ボイスメッセージのコンテンツの１以上の非音声部分を表す１以上の文章部分を該マルチメディア・メッセージ通信サービス用メッセージに挿入することを特徴とする装置。
【請求項４】
請求項１記載の装置において、該移動体及びデータアプリケーション用サーバー部が、該ボイスメッセージのコンテンツをマルチメディアメッセージに翻訳し、
該移動体及びデータアプリケーション用サーバー部がマルチメディア・メッセージ・サービス・センターと通信し、該マルチメディアメッセージをマルチメディア対応装置に配信し、
該移動体及びデータアプリケーション用サーバー部と該マルチメディア・メッセージ・サービス・センターがマルチメディアメッセージの送信のためのプロトコルを用いて通信し、
該移動体及びデータアプリケーション用サーバー部がプッシュ・テクノロジーを用いて該マルチメディアメッセージを該マルチメディア・メッセージ・サービス・センターに配信することを特徴とする装置。
【請求項５】
請求項４記載の装置において、該移動体及びデータアプリケーション用サーバー部と該マルチメディア・メッセージ・サービス・センターが、マルチメディア・メッセージング・サービス３プロトコル及びマルチメディア・メッセージング・サービス７プロトコルの少なくとも１つ以上を用いて通信することを特徴とする装置。
【請求項６】
方法であって、
ボイスメールボックスからのボイスメッセージのコンテンツをマルチメディア・メッセージ通信サービス用メッセージにフォーマットするステップ、及び
該マルチメディア・メッセージ通信サービス用メッセージをマルチメディア対応装置にマルチメディア・メッセージング・サービス通信技術を用いて配信するステップ
からなる方法。
【請求項７】
請求項６記載の方法において、前記ボイスメールボックスからのボイスメッセージのコンテンツをマルチメディア・メッセージ通信サービス用メッセージにフォーマットするステップが、
該ボイスメッセージのコンテンツの１以上の音声部分をマルチメディア対応装置によって受け入れられるフォーマットに符号変換するステップ、
該ボイスメッセージのコンテンツの１以上の非音声部分を１以上の文章メッセージに置き換えるステップ、及び
該符号変換された１以上の音声部分及び該１以上の文章メッセージをマルチメディア・メッセージ通信サービス用メッセージに挿入するステップ
からなることを特徴とする方法。
【請求項８】
請求項６記載の方法において、前記ボイスメールボックスからのボイスメッセージのコンテンツをマルチメディア・メッセージ通信サービス用メッセージにフォーマットするステップが、
１以上の画像を該マルチメディア・メッセージ通信サービス用メッセージに挿入するステップからなることを特徴とする方法。
【請求項９】
請求項６記載の方法において、前記マルチメディア・メッセージ通信サービス用メッセージをマルチメディア対応装置にマルチメディア・メッセージング・サービス通信技術を用いて配信するステップが、
該ボイスメッセージのコンテンツをマルチメディア・メッセージ通信サービス用メッセージに翻訳するステップ、及び
該マルチメディア・メッセージ通信サービス用メッセージをマルチメディア・メッセージ・サービス・センターにプッシュするステップ
からなることを特徴とする方法。
【請求項１０】
請求項６記載の方法であって、さらに、
該ボイスメッセージのコンテンツを該ボイスメールボックスから受信するステップ、
該ボイスメッセージのコンテンツをマルチメディアメッセージのコンテンツに翻訳するステップ、
該マルチメディアメッセージのコンテンツをマルチメディア・メッセージ通信サービス用メッセージにフォーマットするステップ、及び
該マルチメディア・メッセージ通信サービス用メッセージを該マルチメディア対応装置に送信するステップ
からなる方法。
【発明の詳細な説明】
【技術分野】
【０００１】
本発明は、一般にメッセージの配信、より具体的にはマルチメディア・メッセージ通信に関する。
【背景技術】
【０００２】
現在、ボイスメールボックス内のメッセージにアクセスするためには、携帯電話等の移動局のユーザーはマニュアル的にメッセージを取得している。例えば、移動局のユーザーはボイスメールボックスに電話をかける。ユーザーはパスワードを入力し、メッセージにアクセスするために１以上のメニューを進めていく。ボイスメールボックスに保存されたメッセージに後でアクセスするためには、ユーザーはボイスメールボックスにリダイヤルし、パスワードを再入力し、メニューを再度進めてメッセージを取得することになる。具体的には、ソースから情報をリクエストすることが「プル（ｐｕｌｌ）・テクノロジー」として知られている。移動局のユーザーはボイスメールボックスに電話し、パスワードを入力し、メニューを進めてメッセージを取得することによって、ボイスメールボックスからのメッセージをリクエストする。１つの欠点は、プル・テクノロジーではメッセージをボイスメールボックスから取得するために移動局のユーザーがマニュアル的に介入する必要が生ずることである。ボイスメールボックス内のメッセージにアクセスするためにユーザーが踏まなければならないステップ数を減らすことが望ましい。
【０００３】
従って、自動的にメッセージをボイスメールボックスから移動局のユーザーに提供したいというニーズがある。
【発明の開示】
【課題を解決するための手段】
【０００４】
一実施例において本発明は装置を含む。装置は移動体、及びマルチメディアメッセージをボイスメールボックスからマルチメディア対応装置へ配信するデータアプリケーション用サーバー部からなる。
【０００５】
本発明の他の実施例は方法を含む。ボイスメールボックスからのマルチメディアメッセージのコンテンツはマルチメディア対応装置に配信される。
【０００６】
本発明の実施例の構成が、発明の詳細な説明、特許請求の範囲及び付随する図面から明らかになるであろう。
【発明を実施するための最良の形態】
【０００７】
図１において、一実施例における装置１００は、１以上の移動局１０５及び１１０、１以上の交換部１１５、１以上のボイスメッセージ通信部１２０、１２５及び１３０、１以上の移動体及びデータアプリケーション用サーバー（ＭＤＡＳ）部１３５、１以上のプロキシ部１４０、１以上のマルチメディア・メッセージ・サービス・センター（ＭＭＳＣ）部１４５、１以上のショート・メッセージ・サービス・センター（ＳＭＳＣ）部１５０、並びに１以上のネットワーク１５５からなる。移動局１０５は一例として移動体電話からなる。一実施例において、移動局１１０はマルチメディア・メッセージ配信システム（ＭＭＳ）付きの移動体電話等のマルチメディア対応装置からなる。移動局１０５及び／又は１１０は１以上の記録可能なデータ記憶媒体１６０の形態からなる。一実施例において、移動局１１０は移動局１１０に記録可能なデータ記憶媒体１６０の形式で配信された１以上のマルチメディア・メッセージ通信サービス用メッセージを記憶する。交換部１１５は１以上の移動体交換局（ＭＳＣ）からなる。
【０００８】
ボイスメッセージ通信部１２０、１２５及び１３０は一例実施において、１以上のＳｉｅｒｒａ（登録商標）ボイスメールサーバー（Lucent Technologies, 600 Mountain Ave., Murray Hill, NJ 07974-0636, 1 888 458-2368, http://www.lucent.com）、及びルーセント・テクノロジーズ製ＡｎｙＰａｔｈ（登録商標）ボイスメールサーバー（Lucent Technologies, 600 Mountain Ave., Murray Hill, NJ 07974-0636, 1 888 458-2368, http://www.lucent.com）からなる。一実施例において、プロキシ部１４０はプロキシサーバーからなる。当業者には理解できるように、一実施例におけるプロキシ部１４０は移動局１１０とマルチメディア・メッセージ・サービス・センター部１４５との間の中継器として機能する。マルチメディア・メッセージ・サービス・センター部１４５は、マルチメディア対応装置間でのグラフィックス、ビデオチップ及び音声ファイルの送信を可能とするサーバーからなる。ショート・メッセージ・サービス・センター部１５０は移動局１０５と１１０間での文章ショートメッセージの送信を可能とするサーバーからなる。
【０００９】
一実施例において、ネットワーク１５５は、例えば公衆地上移動体ネットワーク等の電気通信ネットワークからなる。一実施例におけるネットワーク１５５は移動体セルラーサービスを提供する。一実施例におけるネットワーク１５５は回路交換系領域及びパケット系領域において動作する。例えば、ネットワーク１５５は１以上の移動体交換局（ＭＳＣ）を用いて回路系領域において動作し、１以上のパケット系ネットワーク部を用いてパケット系領域において動作する。
【００１０】
移動局１０５は交換部１１５と協働して、ネットワーク１５５を介して呼をネットワーク１５５上の移動局１１０へと開始する。移動局１１０が呼に応答し損ねる。交換部１１５は呼をボイスメッセージ通信部１２０、１２５及び１３０の１つにルーティングする。移動局１０５のユーザーは、ボイスメッセージを移動局１１０のユーザーに対してボイスメッセージ通信部１２０、１２５及び／又は１３０の１つを用いて預ける。一実施例において、移動局１０５のユーザーはボイスメッセージを移動局１１０のためのボイスメールボックスに記録する。他の実施例では、移動局のユーザーは移動局１１０のためのボイスメールボックスにファックスを記憶する。ボイスメッセージ通信部１２０、１２５及び１３０は移動局１１０のユーザーに対するボイスメッセージを記憶する。
【００１１】
ボイスメッセージ通信部１２０、１２５及び１３０は移動体及びデータアプリケーション用サーバー部１３５に、移動局１１０のためのボイスメールボックスにボイスメッセージを受信したことを示す通知を送信する。一実施例において、この通知は移動局１１０のためのボイスメールボックス内のボイスメッセージを含んでいる。一実施例において、ボイスメッセージ通信部１２０、１２５及び／又は１３０はショート・メッセージ・ピア・トゥ・ピア（ＳＭＰＰ）プロトコルを用いてその通知を移動体及びデータアプリケーション用サーバー部１３５に送信する。
【００１２】
移動体及びデータアプリケーション用サーバー部１３５は、例えば、ボイスメッセージ通信部１２０、１２５及び１３０等の複数のボイスメッセージ通信部と通信して、複数のマルチメディア対応装置（例えば、移動局１１０）に対する複数のボイスメールボックス内の１以上のボイスメッセージを複数のマルチメディア対応装置へ配信する。移動体及びデータアプリケーション用サーバー部１３５は移動局１１０のためのボイスメールボックスからのボイスメッセージをボイスメッセージ通信部１２０から受信する。移動局１１０のためのボイスメールボックスからのボイスメッセージは１以上の音声（speech）コンテンツ及びボイスメッセージに関連する１以上の非音声部分からなる。
【００１３】
一実施例において、移動体及びデータアプリケーション用サーバー部１３５はボイスメッセージをマルチメディアメッセージに変換する。例えば、移動体及びデータアプリケーション用サーバー部１３５は移動局１１０のためのボイスメールボックスからのボイスメッセージを、例えば、マルチメディア・メッセージ通信サービス用メッセージ等のマルチメディアメッセージにフォーマットする。移動局１１０のためのボイスメールボックスからのボイスメッセージは、移動局１０５のユーザーからの音声メッセージ及び移動局１１０のためのボイスメールボックスからのボイスメッセージの継続を示す、例えば、３０秒間、（３１２）−５５５−１０００といった発呼者側当事者の電話番号等の非音声部分からなる。移動体及びデータアプリケーション用サーバー部１３５は、移動局１１０のためのボイスメールボックスからのボイスメッセージの１以上の音声部分を移動局１１０で聴くことができる１以上の音声部分に変換する。移動体及びデータアプリケーション用サーバー部１３５は、移動局１１０のためのボイスメールボックスからのボイスメッセージの１以上の非音声部分を１以上の非音声部分を表す１以上の文章部分に置き換える。移動体及びデータアプリケーション用サーバー部１３５は１以上の音声部分及び１以上の非音声部分をマルチメディア・メッセージ通信サービス用メッセージに挿入する。一実施例において、移動体及びデータアプリケーション用サーバー部１３５は１以上の画像又はグラフィックスをマルチメディア・メッセージ通信サービス用メッセージに挿入する。例えば、移動体及びデータアプリケーション用サーバー部１３５はネットワーク１５５のサービスプロバイダーのロゴ画像を挿入する。
【００１４】
移動体及びデータアプリケーション用サーバー部１３５はマルチメディア・メッセージ・サービス・センター部１４５と通信してマルチメディア・メッセージ通信サービス用メッセージを移動局１１０に配信する。移動体及びデータアプリケーション用サーバー部１３５はマルチメディア・メッセージ通信サービス用メッセージをマルチメディア・メッセージ・サービス・センター部１４５へプッシュ（ｐｕｓｈ）する。移動体及びデータアプリケーション用サーバー部１３５は、マルチメディア・メッセージ通信サービス用メッセージをマルチメディア・メッセージ・サービス・センター部１４５にマルチメディアメッセージの送信のための、例えば、マルチメディア・メッセージング・サービス３（ＭＭ３）プロトコル（例えば、シンプル・メッセージ・トランスポート・プロトコル（ＳＭＴＰ））、マルチメディア・メッセージング・サービス７（ＭＭ７）プロトコル（例えば、シンプル・オブジェクト・アクセス・プロトコル（ＳＯＡＰ））、及び拡張可能なマーク付け言語（ＸＭＬ））等のプロトコルを用いて通信する。
【００１５】
一実施例において、移動体及びデータアプリケーション用サーバー部１３５とマルチメディア・メッセージ・サービス・センター部１４５は協働して移動局１１０へのマルチメディア・メッセージ通信サービス用メッセージの信頼性の低い配信に備える。例えば、移動体及びデータアプリケーション用サーバー部１３５は、マルチメディア・メッセージ・サービス・センター部１４５にマルチメディア・メッセージング・サービス３プロトコルを用いてマルチメディア・メッセージ通信サービス用メッセージをプッシュ（ｐｕｓｈ）する。当業者には分かるように、移動体及びデータアプリケーション用サーバー部１３５は、移動局１１０がマルチメディア・メッセージ・サービス・センター部１４５からのマルチメディア・メッセージ通信サービス用メッセージを受信したものと想定する。
【００１６】
他の実施例において、移動体及びデータアプリケーション用サーバー部１３５とマルチメディア・メッセージ・サービス・センター部１４５は協働して移動局１１０へのマルチメディア・メッセージ通信サービス用メッセージの信頼性のある配信（例えば、変換されたボイスメッセージ）に備える。例えば、移動体及びデータアプリケーション用サーバー部１３５とマルチメディア・メッセージ・サービス・センター部１４５はマルチメディア・メッセージング・サービス７プロトコルを用いて協働して、移動局１１０への通知を有効にする。移動体及びデータアプリケーション用サーバー部１３５は１以上の記録可能なデータ記憶媒体１６０からなる。移動体及びデータアプリケーション用サーバー部１３５はマルチメディア・メッセージ通信サービス用メッセージを記録可能なデータ記憶媒体１６０に記憶する。マルチメディア・メッセージ・サービス・センター部１４５はマルチメディア・メッセージ通信サービス用メッセージを移動局１１０に配信する。マルチメディア・メッセージ通信サービス用メッセージが移動局１１０へ配信されると、マルチメディア・メッセージ・サービス・センター部１４５は配信確認通知を移動体及びデータアプリケーション用サーバー部１３５に送信する。移動体及びデータアプリケーション用サーバー部１３５が配信確認通知を予め決められた期間内に受信しない場合、移動体及びデータアプリケーション用サーバー部１３５はマルチメディア・メッセージ通信サービス用メッセージを記録可能なデータ記録媒体１６０から取得し、マルチメディア・メッセージ通信サービス用メッセージをマルチメディア・メッセージ・サービス・センター部１４５に再送信する。
【００１７】
マルチメディア・メッセージ・サービス・センター部１４５は、プロキシ部１４０及びショート・メッセージ・サービス・センター部１５０と協働して、マルチメディア・メッセージ通信サービス用メッセージを移動局１１０に配信する。マルチメディア・メッセージ・サービス・センター部１４５は通知をショート・メッセージ・サービス・センター部１５０に送信する。一実施例において、通知はショート・メッセージ・サービス（ＳＭＳ）メッセージからなる。ショート・メッセージ・サービス・センター部１５０はその通知を移動局１１０に送信する。移動局１１０のユーザーはマルチメディア・メッセージ通信サービス用メッセージを取得するためのリクエストをプロキシ部１４０に発する。例えば、移動局１１０のユーザーはソフトキーを押し始める。プロキシ部１４０はマルチメディア・メッセージ通信サービス用メッセージを取得するためのリクエストをマルチメディア・メッセージ・サービス・センター部１４５に発する。マルチメディア・メッセージ・サービス・センター部１４５はプロキシ部１４０と協働してマルチメディア・メッセージ通信サービス用メッセージを移動局１１０に配信する。
【００１８】
移動体及びデータアプリケーション用サーバー部１３５は、ボイスメッセージ通信部１２０、１２５及び／又は１３０と協働して、移動局１１０のためのボイスメールボックスについての１以上の構成オプションに基づいて移動局１１０のためのボイスメールボックスを更新する。一実施例における構成オプションはシステム管理者によって管理される。移動体及びデータアプリケーション用サーバー部１３５は、移動局１１０のためのボイスメールボックスからのボイスメッセージを変更することを、移動局１１０のためのボイスメールボックスについての構成オプションに基づいて決定する。一実施例において、移動体及びデータアプリケーション用サーバー部１３５は、移動局１１０のためのボイスメールボックスについての構成オプションに基づいて、移動局１１０のためのボイスメールボックスからのボイスメッセージを削除することによってボイスメールボックスのボイスメッセージを変更することを決定する。例えば、移動局１１０のためのボイスメールボックスからのボイスメッセージに関連するマルチメディア・メッセージ通信サービス用メッセージをプッシュ（ｐｕｓｈ）すると、又はマルチメディア・メッセージ・サービス・センター部１４５から配信確認メッセージを受信すると、一実施例における移動体及びデータアプリケーション用サーバー部１３５は移動局１１０のためのボイスメールボックスからのボイスメッセージを削除する。他の実施例においては、移動体及びデータアプリケーション用サーバー部１３５は、構成オプションに基づいて移動局１１０のためのボイスメッセージからの既読のボイスメッセージに印をつけることによってボイスメールボックスのボイスメッセージを変更する。例えば、マルチメディア・メッセージ・サービス・センター部１４５からの配信確認を受信すると、移動体及びデータアプリケーション用サーバー部１３５は既読のボイスメッセージに印をつける。
【００１９】
装置１００の代表的動作を説明する内容が説明を目的として示される。
【００２０】
図２を参照すると、移動局１１０はマルチメディアメッセージを移動局１０５のユーザーから受信する。ステップ２０５において、移動局１０５のユーザーは、ボイスメッセージ通信部１２０上で移動局１１０のためのボイスメールボックスにボイスメッセージを記憶する。ステップ２１０において、ボイスメッセージ通信部１２０はボイスメッセージを移動体及びデータアプリケーション用サーバー部１３５に送信する。移動体及びデータアプリケーション用サーバー部１３５はボイスメッセージをマルチメディア・メッセージ通信サービス用メッセージに再フォーマットし、ユーザーによって決められた画像をマルチメディア・メッセージ通信サービス用メッセージ内に追加する。ステップ２１５において、移動体及びデータアプリケーション用サーバー部１３５はマルチメディア・メッセージ通信サービス用メッセージをマルチメディア・メッセージ・サービス・センター部１４５にプッシュ（ｐｕｓｈ）する。ステップ２２０において、マルチメディア・メッセージ・サービス・センター部１４５はショート・メッセージ・サービス通知をショート・メッセージ・サービス・センター部１５０に送信する。ステップ２２５において、ショート・メッセージ・サービス・センター部１５０はショート・メッセージ・サービス通知を移動局１１０に転送する。
【００２１】
ステップ２３０において、移動局１１０のユーザーは、キーを押してマルチメディア・メッセージ通信サービス用メッセージのリクエストをプロキシ部１４０に発する。ステップ２３５において、プロキシ部１４０はそのリクエストをマルチメディア・メッセージ・サービス・センター部１４５に送信する。ステップ２４０において、マルチメディア・メッセージ・サービス・センター部１４５はマルチメディア・メッセージ通信サービス用メッセージを移動局１１０に配信する。移動局１１０はそのマルチメディア・メッセージ通信サービス用メッセージを記憶する。移動局１１０のユーザーはマルチメディア・メッセージ通信サービス用メッセージを聴く。ステップ２４５において、マルチメディア・メッセージ・サービス・センター部１４５は配信確認通知を移動体及びデータアプリケーション用サーバー部１３５に送信する。ステップ２５０において、一実施例における移動体及びデータアプリケーション用サーバー部１３５は移動局１１０のためのボイスメールボックスからのボイスメッセージを削除する（又は、メッセージを読まれているものとして印をつける）。
【００２２】
一実施例における装置１００は１以上の電子部材、ハードウェア部分及びコンピュータ・ソフトウェア部分のような複数の要素からなる。装置１００においては、多くのそのような部分が組み合わされ又は分離される。当業者であれば理解できるように、装置１００の代表的部分は、数あるプログラム言語のいずれかで書き込まれた又は実装されたコンピュータ命令のセット及び／又は一連のものを用い、及び／又はそれを備える。
【００２３】
一実施例における装置１００は１以上のコンピュータ可読信号記録媒体を用いる。装置１００のコンピュータ可読信号記録媒体の例として、移動局１１０及び移動体及びデータアプリケーション用サーバー部１３５内の記録可能なデータ記憶媒体１６０がある。例えば、装置１００のコンピュータ可読信号記録媒体は磁気的、電気的、光学的、生物的及び原子によるデータ記憶媒体の１つ以上からなる。一実施例において、コンピュータ可読信号記録媒体は、装置１００を備え、又はそれに結合されたネットワーク――例えば、１以上の電話ネットワーク、ローカルエリアネットワーク（ＬＡＮ）、インターネット及び無線ネットワーク等のネットワーク――を介して送信される変調された搬送信号を備える。
【００２４】
ここに記載されたステップ又は動作はあくまでも例示である。これらのステップや動作に対する本発明の精神を逸脱しない変更例は多数ある。例えば、ステップは異なる順序で実行することもできるし、ステップによっては追加、削除又は修正することもできる。
【００２５】
発明の例示的実施例がここに詳しく図示及び記載されたが、当業者には様々な変更、追加、代替等が発明の精神を逸脱しないでなされ得ることは明らかであり、それゆえ、それらは特許請求の範囲に規定される発明の範囲内のものとして捉えられる。
【図面の簡単な説明】
【００２６】
【図１】図１は１以上の移動局、１以上の交換部、１以上のボイスメッセージ通信部、１以上の移動体及びデータアプリケーション用サーバー部、１以上のプロキシ部、１以上のマルチメディア・メッセージ・サービス・センター部、１以上のショート・メッセージ・サービス・センター部、並びに１以上のネットワークの代表例を示す図である。
【図２】図２は移動体及びデータアプリケーション用サーバー部がボイスメッセージ通信部から移動局へマルチメディアメッセージを配信するための例示的処理を表すフローチャートである。
【符号の説明】
【００２７】
１００．装置
１０５、１１０．移動体
１１５．交換部
１２０、１２５、１３０．ボイスメッセージ通信部
１４０．プロキシ部
１４５．マルチメディア・メッセージ・サービス・センター部
１５０．ショート・メッセージ・サービス・センター部
１５５．ネットワーク
１６０．記録可能なデータ記憶媒体
【図１】
2006020326.tif 000003
【図２】
2006020326.tif 000004